(57)【特許請求の範囲】
【請求項１】
ホストコンピュータを介して相互に繋がった機種が異なる複数台の部品実装用装置を有して成り、各部品実装用装置のそれぞれが担当の部品実装用作業を実行する部品実装システムであって、
各部品実装用装置が備える制御部は、その部品実装用装置が備えるディスプレイのスクリーンセイバー機能の適用時に、ホストコンピュータの記憶部から読み出した画像データに基づいて、当該部品実装用装置だけでなく、機種の異なる他の部品実装用装置も含む複数台の部品実装用装置の操作要領を説明する画像をディスプレイに表示させることを特徴とする部品実装システム。
【請求項２】
ホストコンピュータを介して相互に繋がった機種が異なる複数台の部品実装用装置を有して成り、各部品実装用装置のそれぞれが担当の部品実装用作業を実行する部品実装システムにおけるオペレータの支援方法であって、
各部品実装用装置が備える制御部に、その部品実装用装置が備えるディスプレイのスクリーンセイバー機能の適用時、ホストコンピュータの記憶部から読み出した画像データに基づいて、当該部品実装用装置だけでなく、機種の異なる他の部品実装用装置も含む複数台の部品実装用装置の操作要領を説明する画像を各ディスプレイに表示させるようにしたことを特徴とする部品実装システムにおけるオペレータの支援方法。
【発明の詳細な説明】
【技術分野】
【０００１】
本発明は、ホストコンピュータを介して相互に繋がった複数台の部品実装用装置を有して成り、各部品実装用装置のそれぞれが担当の部品実装用作業を実行する部品実装システム及び部品実装システムにおけるオペレータの支援方法に関するものである。
【背景技術】
【０００２】
基板に部品を実装して実装基板を生産する部品実装システムは、半田印刷機、部品実装機、検査機等の複数台の部品実装用装置を有して成り、各部品実装用装置のそれぞれがホストコンピュータを介して相互に繋がって担当の部品実装用作業を実行する。このような部品実装システムでは通常、ひとりのオペレータが各部品実装用装置の操作を行うが、オペレータは、各部品実装用装置に備えられたディスプレイを介して提供される種々の情報を通じた支援を受けることによってスムーズに作業を行うことができるようになっている（例えば、特許文献１）。
【０００３】
このような部品実装システムでは、オペレータは各部品実装用装置についてその操作要領を十分に心得たうえで作業を行うのが理想であるが、実際の現場では熟練度の不足等から別途用意されたマニュアルをオペレータが参照しながら作業を行う場合があり、マニュアルを参照している間、基板の生産工程を中断させなければならないこともあった。このようなことから、各部品実装用装置のディスプレイのスクリーンセイバー機能の適用時に部品実装用装置の操作要領を説明する画像がディスプレイに表示されるようにして、普段からオペレータが知らず知らずのうちに部品実装用装置の操作要領を身につけることができるようにすることも考えられる。この場合、各部品実装用装置の制御部は、その部品実装用装置が備える記憶部に保存された画像を読み出してディスプレイに表示することになるが、部品実装用装置の操作要領を説明する画像は多数あり、これをオペレータが偏りなく見ることができるようにするためには、部品実装システムの管理者は定期的に各部品実装用装置の記憶部に記憶される画像データの入れ替えを行う必要がある。
【先行技術文献】
【特許文献】
【０００４】
【特許文献１】特開２００９−８１１５４号公報
【発明の概要】
【発明が解決しようとする課題】
【０００５】
しかしながら、各部品実装用装置の記憶部に記憶される画像データの入れ替え作業は、その部品実装用装置の作動、すなわちその部品実装用装置が担当する部品実装用作業を中断させた状態でしか行うことができないことから、一旦部品実装システムの稼働を開始させた後は次に部品実装システムの稼働を停止させたときでなければ画像データの入れ替え作業を行うことができず、画像データの入れ替え作業をスムーズに行うことができない場合があるという問題が生じる。また、画像データの入れ替え作業を部品実装用装置ごとに行うのは大変面倒であるという問題も生じる。
【０００６】
そこで本発明は、各部品実装用装置がディスプレイのスクリーンセイバー機能の適用時にディスプレイに表示させる画像の画像データの入れ替え作業を容易に行うことができるようにした部品実装システム及び部品実装システムにおけるオペレータの支援方法を提供することを目的とする。
【課題を解決するための手段】
【０００７】
請求項１に記載の部品実装システムは、ホストコンピュータを介して相互に繋がった機種が異なる複数台の部品実装用装置を有して成り、各部品実装用装置のそれぞれが担当の部品実装用作業を実行する部品実装システムであって、各部品実装用装置が備える制御部は、その部品実装用装置が備えるディスプレイのスクリーンセイバー機能の適用時に、ホストコンピュータの記憶部から読み出した画像データに基づいて、当該部品実装用装置だけでなく、機種の異なる他の部品実装用装置も含む複数台の部品実装用装置の操作要領を説明する画像をディスプレイに表示させる。
【０００８】
請求項２に記載の部品実装システムにおけるオペレータの支援方法は、ホストコンピュータを介して相互に繋がった機種が異なる複数台の部品実装用装置を有して成り、各部品実装用装置のそれぞれが担当の部品実装用作業を実行する部品実装システムにおけるオペレータの支援方法であって、各部品実装用装置が備える制御部に、その部品実装用装置が備えるディスプレイのスクリーンセイバー機能の適用時、ホストコンピュータの記憶部から読み出した画像データに基づいて、当該部品実装用装置だけでなく、機種の異なる他の部品実装用装置も含む複数台の部品実装用装置の操作要領を説明する画像を各ディスプレイに表示させるようにした。
【発明の効果】
【０００９】
本発明では、各部品実装用装置が備える制御部は、その部品実装用装置が備えるディスプレイのスクリーンセイバー機能の適用時に、ホストコンピュータの記憶部から読み出した画像データに基づいて、当該部品実装用装置だけでなく、機種の異なる他の部品実装用装置も含む複数台の部品実装用装置の操作要領を説明する画像（すなわちオペレータを支援するための画像）をディスプレイに表示させるようになっており、各部品実装用装置が備える制御部とディスプレイのスクリーンセイバー機能の適用時にディスプレイに表示される画像の画像データの記憶手段（ホストコンピュータの記憶部）とは物理的に切り離されたものとなっているので、部品実装システムの管理者は、各部品実装用装置がディスプレイのスクリーンセイバー機能の適用時にディスプレイに表示させる画像の画像データの入れ替え作業を、その部品実装用装置の稼働を停止させることなく行うことができる。また、部品実装システムの管理者は画像データの入れ替えをホストコンピュータの記憶部を対象として一括して行うことができるので、画像データの入れ替え作業を部品実装用装置ごとに行う必要がなく、画像データの入れ替え作業が大変容易になる。
【図面の簡単な説明】
【００１０】
【図１】本発明の一実施の形態における部品実装システムの斜視図
【図２】本発明の一実施の形態における部品実装システムの構成図
【図３】本発明の一実施の形態における部品実装システムの画像データの伝送系統を示すブロック図
【発明を実施するための形態】
【００１１】
以下、図面を参照して本発明の実施の形態について説明する。図１及び図２において、部品実装システム１は、基板２上に設けられた電極３に部品４を実装して実装基板を生産するものであり、半田印刷機１１、部品実装機１２及び検査機１３から成る機種が異なる複数台の部品実装用装置が上流工程側からこの順で配置された構成となっている。これら複数台の部品実装用装置（半田印刷機１１、部品実装機１２及び検査機１３）はそれぞれホストコンピュータ１４を介して相互に繋がっており、他の部品実装用装置と情報交換を行いながら担当の部品実装工程を実行する。各部品実装用装置（半田印刷機１１、部品実装機１２、検査機１３）の操作はひとりのオペレータＯＰ（図２）によって行われる。
【００１２】
図２において、半田印刷機１１は内部に半田印刷装置１１ａを備えており、外部から投入された基板２を基板搬送路１１ｂによって受け取って搬送（搬入）し、所定の作業位置への位置決めを行ったうえで、半田印刷装置１１ａによって、基板２に設けられた電極３上に半田をスクリーン印刷する。
【００１３】
半田印刷装置１１ａは基板２の電極３のパターンに応じた開口を有したマスクを基板２の上面に接触させたうえで箆状のスキージをマスク上で摺動させることにより、マスク上に供給したペースト状の半田をマスクの開口を介して基板２の電極３上に転写させる。半田印刷機１１は、半田印刷装置１１ａによる基板２の電極３上への半田の印刷が終了したら、その基板２を基板搬送路１１ｂにより、下流工程側の装置である部品実装機１２に搬送（搬出）する。
【００１４】
図２において、半田印刷装置１１ａは半田印刷機１１が備える制御部（印刷機制御部１１ｃ）によって作動制御がなされ、オペレータＯＰは、半田印刷機１１に備えられたディスプレイ（印刷機ディスプレイ１１ｄ）に表示される種々の情報を参照しながら半田印刷機１１の操作を行う。
【００１５】
図２において、部品実装機１２は内部に部品装着装置１２ａを備えており、上流工程側の装置である半田印刷機１１から搬出された基板２を基板搬送路１２ｂによって受け取って搬送（搬入）し、所定の作業位置への位置決めを行ったうえで、部品装着装置１２ａによって、基板２の電極３上に部品４を装着する。
【００１６】
部品装着装置１２ａは部品供給部１２ｐ（図１）と図示しない部品装着部を備えており、部品供給部１２ｐより供給される部品４を部品装着部によってピックアップ（吸着）して基板２の電極３上に装着する。部品実装機１２は、基板２の電極３上への部品４の装着が終了したら、その基板２を基板搬送路１２ｂにより、下流工程側の装置である検査機１３に搬送（搬出）する。
【００１７】
図２において、部品装着装置１２ａは部品実装機１２が備える制御部（実装機制御部１２ｃ）によって作動制御がなされ、オペレータＯＰは、部品実装機１２に備えられたディスプレイ（実装機ディスプレイ１２ｄ）に表示される種々の情報を参照しながら部品実装機１２の操作を行う。
【００１８】
図２において、検査機１３は内部に検査装置１３ａを備えており、上流工程側の装置である部品実装機１２から搬出された基板２を基板搬送路１３ｂによって受け取って搬送（搬入）し、所定の作業位置への位置決めを行ったうえで、検査装置１３ａによって、基板２の電極３上に装着された部品４の検査を行う。
【００１９】
検査装置１３ａは撮像視野を下方に向けた図示しない検査カメラを備えており、基板２の電極３上に装着された部品４の装着状態に異常がないかどうか等を画像認識によって判断する。検査機１３は、基板２の電極３上に装着された部品４の検査を行ったら、その基板２を基板搬送路１３ｂにより、下流工程側の他の装置（例えばリフロー炉）に搬送（搬出）する。
【００２０】
図２において、検査装置１３ａは検査機１３が備える制御部（検査機制御部１３ｃ）によって作動制御がなされ、オペレータＯＰは、検査機１３に備えられたディスプレイ（検査機ディスプレイ１３ｄ）に表示される種々の情報を参照しながら検査機１３の操作を行う。
【００２１】
このような構成の部品実装システム１において、各部品実装用装置（半田印刷機１１、部品実装機１２、検査機１３）の制御部（印刷機制御部１１ｃ、実装機制御部１２ｃ、検査機制御部１３ｃ）は、その制御部が制御するディスプレイ（印刷機ディスプレイ１１ｄ、実装機ディスプレイ１２ｄ、検査機ディスプレイ１３ｄ）について、一定時間オペレータＯＰからの入力がなかったときにはスクリーンセイバー機能を適用する。
【００２２】
各部品実装用装置の制御部は、その部品実装用装置が備えるディスプレイのスクリーンセイバー機能の適用時、その部品実装用装置の操作要領を説明する画像（すなわちオペレータＯＰを支援するための画像）をディスプレイに表示させることによってオペレータＯＰの支援を行う。ここで、半田印刷機１１の操作要領を説明する画像とは、例えば、基板２の型に応じてマスクを交換するときのマスクの交換要領の説明の画像であり、部品実装機１２の操作要領を説明する画像とは、例えば、部品供給部から供給される部品４がなくなったときに部品供給部に部品４を補充する要領の説明の画像であり、検査機１３の操作要領を説明する画像とは、例えば、基板２の型に応じて検査カメラを交換するときの検査カメラの交換要領の説明の画像である。
【００２３】
各部品実装用装置の制御部がディスプレイのスクリーンセイバー機能の適用時にディスプレイに表示させる画像の画像データは、ホストコンピュータ１４が備える記憶部１５の画像データフォルダ（印刷機用画像データフォルダ１５ａ、実装機用画像データフォルダ１５ｂ及び検査機用画像データフォルダ１５ｃ。図３）にそれぞれ記憶されており、各部品実装用装置の制御部は、ディスプレイのスクリーンセイバー機能の起動時にホストコンピュータ１４の記憶部１５に記憶された画像データを読み出し（取得し）、その読み出した画像データを内部メモリ（印刷機内部メモリ１１ｍ、実装機内部メモリ１２ｍ、検査機内部メモリ１３ｍ。図３）に取り込んだうえで、ディスプレイ（印刷機ディスプレイ１１ｄ、実装機ディスプレイ１２ｄ、検査機ディスプレイ１３ｄ）に表示させる。
【００２４】
なお、ここでは、各部品実装用装置は、スクリーンセイバー機能の適用時に、その部品実装用装置の操作要領を説明する画像をディスプレイに表示するとしているが、その部品実装用装置だけでなく、機種の異なる他の部品実装用装置も含む複数台の部品実装用装置（ここでは各部品実装用装置。具体的には半田印刷機１１、部品実装機１２及び検査機１３）の操作要領を説明する画像をディスプレイに表示させるようにしてもよい。この場合には、ホストコンピュータ１４の記憶部１５に部品実装用装置ごとの画像データフォルダ（印刷機用画像データフォルダ１５ａ、実装機用画像データフォルダ１５ｂ及び検査機用画像データフォルダ１５ｃ）を設ける必要はなく、記憶部１５内にひとつの画像データフォルダを設けてそのひとつの画像データフォルダに各部品実装用装置に共通の画像データを記憶させれば足りる。
【００２５】
このように、本実施の形態における部品実装システム１は、各部品実装用装置が備える制御部（印刷機制御部１１ｃ、実装機制御部１２ｃ及び検査機制御部１３ｃ）が、その部品実装用装置が備えるディスプレイ（印刷機ディスプレイ１１ｄ、実装機ディスプレイ１２ｄ及び検査機ディスプレイ１３ｄ）のスクリーンセイバー機能の適用時に、ホストコンピュータ１４の記憶部１５から読み出した画像データに基づいて、当該部品実装用装置だけでなく、機種の異なる他の部品実装用装置も含む複数台の部品実装用装置の操作要領を説明する画像をディスプレイに表示させるようになっており、この部品実装システム１におけるオペレータＯＰの支援方法は、各部品実装用装置が備える制御部（印刷機制御部１１ｃ、実装機制御部１２ｃ及び検査機制御部１３ｃ）に、その部品実装用装置が備えるディスプレイ（印刷機ディスプレイ１１ｄ、実装機ディスプレイ１２ｄ及び検査機ディスプレイ１３ｄ）のスクリーンセイバー機能の適用時、ホストコンピュータ１４の記憶部１５から読み出した画像データに基づいて、当該部品実装用装置だけでなく、機種の異なる他の部品実装用装置も含む複数台の部品実装用装置の操作要領を説明する画像を各ディスプレイに表示させるようになっている。
【００２６】
本実施の形態における部品実装システム１及び部品実装システム１におけるオペレータＯＰの支援方法では、各部品実装用装置（半田印刷機１１、部品実装機１２、検査機１３）が備える制御部（印刷機制御部１１ｃ、実装機制御部１２ｃ、検査機制御部１３ｃ）は、その部品実装用装置が備えるディスプレイ（印刷機ディスプレイ１１ｄ、実装機ディスプレイ１２ｄ、検査機ディスプレイ１３ｄ）のスクリーンセイバー機能の適用時に、ホストコンピュータ１４の記憶部１５から読み出した画像データに基づいて、部品実装用装置の操作要領を説明する画像（すなわちオペレータＯＰを支援するための画像）をディスプレイに表示させるようになっており、各部品実装用装置が備える制御部とディスプレイのスクリーンセイバー機能の適用時にディスプレイに表示される画像の画像データの記憶手段（ホストコンピュータ１４の記憶部１５）とは物理的に切り離されたものとなっている。
【００２７】
このため、部品実装システム１の管理者は、各部品実装用装置がディスプレイのスクリーンセイバー機能の適用時にディスプレイに表示させる画像の画像データの入れ替え作業を、その部品実装用装置の稼働を停止させることなく行うことができる。また、部品実装システム１の管理者は画像データの入れ替えをホストコンピュータ１４の記憶部１５を対象として一括して行うことができるので、画像データの入れ替え作業を部品実装用装置ごとに行う必要がなく、画像データの入れ替え作業が大変容易になる。
【００２８】
なお、上述の実施の形態では、部品実装システム１を構成する複数台の部品実装用装置として半田印刷機１１、部品実装機１２及び検査機１３を例示したが、これは一例に過ぎず、部品実装用装置の機種はこれらのものに限定されるわけではない。
【産業上の利用可能性】
【００２９】
各部品実装用装置がディスプレイのスクリーンセイバー機能の適用時にディスプレイに表示させる画像の画像データの入れ替え作業を容易に行うことができるようにした部品実装システム及び部品実装システムにおけるオペレータの支援方法を提供する。
【符号の説明】
【００３０】
１  部品実装システム
１１  半田印刷機（部品実装用装置）
１１ｃ  印刷機制御部（制御部）
１１ｄ  印刷機ディスプレイ（ディスプレイ）
１２  部品実装機（部品実装用装置）
１２ｃ  実装機制御部（制御部）
１２ｄ  実装機ディスプレイ（ディスプレイ）
１３  検査機（部品実装用装置）
１３ｃ  検査機制御部（制御部）
１３ｄ  検査機ディスプレイ（ディスプレイ）
１４  ホストコンピュータ
１５  記憶部
ＯＰ  オペレータ
【図１】
0005623331.tif 000002
【図２】
0005623331.tif 000003
【図３】
0005623331.tif 000004